(57)【要約】【課題】鍵・財布・メガネ・カード等の携行品について、自宅内や自宅外において、所有者が所在位置を忘れたり置き忘れたり紛失した場合に、所在位置を容易に確認して、早期発見を図ることのできる探し物の所在位置確認システムを提供する。【解決手段】携行品10に音信号発生チップ11とＧＰＳ受信チップ12を装着し、携帯通信端末100に音モードとＧＰＳモードを備え、音モードを選択したときは、携帯通信端末100から送信された音信号要求を前記携行品10の音信号発生チップ11が受信し、音信号を発生させ、ＧＰＳモードを選択したときは、携帯通信端末100から送信されたＧＰＳ信号要求に基づきＧＰＳ受信チップ12がＧＰＳ衛星1からの携行品10の位置情報を受信して携帯通信端末100に送信し、携帯通信端末100の表示部101に当該位置情報を表示させる。【選択図】図１
2013069028.tif 000002
【特許請求の範囲】
【請求項１】
携行品における探し物の所在位置を確認するシステムであって、携行品に音信号発生チップを装着し、携帯通信端末から送信された音信号要求を前記携行品の音信号発生チップが受信し、音信号を発生させることを特徴とする探し物の所在位置確認システム。
【請求項２】
携行品にＧＰＳ受信チップを装着し、携帯通信端末から送信されたＧＰＳ信号要求を前記携行品のＧＰＳ信号受信チップが受信し、ＧＰＳ衛星からの前記携行品の位置情報を、携帯通信端末に送信し、携帯通信端末の表示部に当該位置情報を表示させることを特徴とする請求項１記載の探し物の所在位置確認システム。
【請求項３】
携行品に音信号発生チップとＧＰＳ受信チップを装着し、携帯通信端末に音モードとＧＰＳモードを備え、音モードを選択したときは、携帯通信端末から送信された音信号要求を前記携行品の音信号発生チップが受信し、音信号を発生させ、ＧＰＳモードを選択したときは、携帯通信端末から送信されたＧＰＳ信号要求に基づきＧＰＳ受信チップがＧＰＳ衛星からの携行品の位置情報を受信して携帯通信端末に送信し、携帯通信端末の表示部に当該位置情報を表示させることを特徴とする請求項１または請求項２記載の探し物の所在位置確認システム。
【請求項４】
複数の携行品に固有のＩＤ番号を付与して個々の携行品に固有のＩＤ番号に対応して反応する音信号発生チップを装着し、携帯情報端末からいずれか一の携行品の固有ＩＤ番号に基づき当該一の携行品の音信号発生チップに、音信号要求を送信するように構成されていることを特徴とする請求項１ないし請求項３のいずれか一項に記載の探し物の所在位置確認システム。
【請求項５】
携帯情報端末の表示部に、固有のＩＤ番号が付与された複数の携行品リストを表示させ、携帯情報端末からいずれか一の携行品を特定し、その固有ＩＤ番号に基づき当該一の携行品の音信号発生チップに、音信号要求を送信するように構成されていることを特徴とする請求項１ないし請求項４のいずれか一項に記載の探し物の所在位置確認システム。
【請求項６】
複数の携行品に固有のＩＤ番号を付与して個々の携行品に固有のＩＤ番号に対応して反応するＧＰＳ受信チップを装着し、携帯情報端末からいずれか一の携行品の固有ＩＤ番号に基づき当該一の携行品のＧＰＳ受信チップに、ＧＰＳ信号要求を送信するように構成されていることを特徴とする請求項１ないし請求項５のいずれか一項に記載の探し物の所在位置確認システム。
【請求項７】
携帯情報端末の表示部に、固有のＩＤ番号が付与された複数の携行品リストを表示させ、携帯情報端末からいずれか一の携行品を特定し、音モードを選択したときは、その固有ＩＤ番号に基づき当該一の携行品の音信号発生チップに、音信号要求を送信し、ＧＰＳモードを選択したときは、その固有ＩＤ番号に基づき当該一の携行品のＧＰＳ受信チップに、ＧＰＳ信号要求を送信するように構成されていることを特徴とする請求項１ないし請求項６のいずれか一項に記載の探し物の所在位置確認システム。
【発明の詳細な説明】
【技術分野】
【０００１】
本発明は、鍵・財布・メガネ・カード等の携行品について、自宅内や自宅外において、所有者が所在位置を忘れたり置き忘れたり紛失した場合に、所在位置を容易に確認し、早期発見と盗難防止を図ることのできる探し物の所在位置確認システムに関するものである。
【背景技術】
【０００２】
日常の生活において、鍵・財布・メガネ・カード等の携行品の所在位置が分からなくなることがある。例えば、自宅から外出する際に、自宅内で鍵や財布の置き場所が分からなくなって自宅内をあちこち探し回ったり、あるいは、外出先に携行品を置き忘れて、自宅に戻って携行品がないことに初めて気がつくことも少なくない。外出先が複数箇所である場合、そのいずれかの場所に置き忘れたのか分からない場合もある。外出前に自宅で携行品を探そうとすると、すぐに見つかればよいが、なかなか見つからない場合、会社の出社時間や約束の時間に遅刻するおそれがある。外出先で置き忘れたり紛失した場合、早く発見しないと、置き忘れ品や紛失物を他人に盗難される危険性があり、安全上非常に問題が残る。
【０００３】
従来より、微弱電波を送信可能な携行品と、その携行品からの微弱電波を受信可能な携帯通信端末とを組み合わせて、携行品の離隔を携帯通信端末に告知して紛失防止するシステム（特許文献１）、携帯端末装置と無線通信装置を組み合わせて、紛失物の携帯端末装置を探索し発見するシステム（特許文献２）がそれぞれ提案されている。
【先行技術文献】
【特許文献】
【０００４】
【特許文献１】特開２００８−７７４７７号公報
【特許文献２】特開２００７−３２９５７０号公報
【発明の概要】
【発明が解決しようとする課題】
【０００５】
しかしながら、特許文献１のシステムは、携帯品の離隔を携帯通信端末に告知する機能しかなく、携帯品の紛失場所を特定することができない。また、特許文献２のシステムは、複数の携帯端末装置と無線通信を可能とする無線通信装置が必要で、比較的大掛かりなシステムを必要とする。
【０００６】
本発明は、上記課題に鑑みてなされたもので、鍵・財布・メガネ・カード等の携行品について、自宅内や自宅外において、所有者が所在位置を忘れたり置き忘れたり紛失した場合に、所在位置を容易に確認して、早期発見を図ることのできる探し物の所在位置確認システムを提供することを目的とする。
【課題を解決するための手段】
【０００７】
上記課題を解決するために、本発明は、携行品における探し物の所在位置を確認するシステムであって、
携行品に音信号発生チップを装着し、携帯通信端末から送信された音信号要求を前記携行品の音信号発生チップが受信し、音信号を発生させることを最も主要な特徴とする。
【０００８】
探し物の対象となる携行品は、日常品や身の回り品を指し、例えば、鍵・財布・メガネ・カード・名刺入れ・定期券・免許証・保険証・手帳・バッグなどが含まれる。携行品に音信号発生チップを装着し、携帯通信端末から送信された音信号要求に基づき音信号発生チップが音信号を発生させることにより、所有者は、探し物の携行品の所在位置を容易に確認し、早期に発見することができる。自宅など近距離で探し物や紛失物の携行品を探す場合に好適である。ここで音信号には電子音、メロディー音、音声信号などが含まれる。携帯通信端末には、携帯電話機の他、スマートフォンなどの多機能型情報端末も含まれる。
【０００９】
本発明に係る探し物の所在位置確認システムは、携行品にＧＰＳ受信チップを装着し、携帯通信端末から送信されたＧＰＳ信号要求を前記携行品のＧＰＳ信号受信チップが受信し、ＧＰＳ衛星からの前記携行品の位置情報を、携帯通信端末に送信し、携帯通信端末の表示部に当該位置情報を表示させることを第２の特徴とする。
【００１０】
携行品にＧＰＳ受信チップを装着し、携帯通信端末から送信されたＧＰＳ信号要求に基づきＧＰＳ受信チップがＧＰＳ衛星からの携行品の位置情報を受信して携帯通信端末に送信し、携帯通信端末の表示部に当該位置情報を表示させることにより、携行品の所有者は、探し物の携行品の所在位置を容易に確認し、早期に発見することができる。自宅外の遠隔地で探し物や紛失物の携行品を探す場合に好適である。
【００１１】
本発明に係る探し物の所在位置確認システムは、携行品に音信号発生チップとＧＰＳ受信チップを装着し、携帯通信端末に音モードとＧＰＳモードを備え、音モードを選択したときは、携帯通信端末から送信された音信号要求を前記携行品の音信号発生チップが受信し、音信号を発生させ、ＧＰＳモードを選択したときは、携帯通信端末から送信されたＧＰＳ信号要求に基づきＧＰＳ受信チップがＧＰＳ衛星からの携行品の位置情報を受信して携帯通信端末に送信し、携帯通信端末の表示部に当該位置情報を表示させることを第３の特徴とする。
【００１２】
自宅など近距離で携行品を探す場合、音モードを選択し、自宅外など遠隔地で携行品を探す場合、ＧＰＳモードを選択して、探索場所に適したモードを選択して、探し物の携行品の所在位置を容易に確認し、早期に発見することができる。システムの使い勝手も向上する。
【００１３】
本発明に係る探し物の所在位置確認システムは、複数の携行品に固有のＩＤ番号を付与して個々の携行品に固有のＩＤ番号に対応して反応する音信号発生チップを装着し、携帯情報端末からいずれか一の携行品の固有ＩＤ番号に基づき当該一の携行品の音信号発生チップに、音信号要求を送信するように構成されていることを第４の特徴とする。
【００１４】
自己が所有する複数の携行品毎に固有のＩＤ番号を付与するとともに、各携行品に固有のＩＤ番号に対応して反応する音信号発生チップを装着することにより、探し物の各携行品の所在位置を容易に確認することができる。
【００１５】
本発明に係る探し物の所在位置確認システムは、携帯情報端末の表示部に、固有のＩＤ番号が付与された複数の携行品リストを表示させ、携帯情報端末からいずれか一の携行品を特定し、その固有ＩＤ番号に基づき当該一の携行品の音信号発生チップに、音信号要求を送信するように構成されていることを第５の特徴とする。
【００１６】
本発明に係る探し物の所在位置確認システムは、複数の携行品に固有のＩＤ番号を付与して個々の携行品に固有のＩＤ番号に対応して反応するＧＰＳ受信チップを装着し、携帯情報端末からいずれか一の携行品の固有ＩＤ番号に基づき当該一の携行品のＧＰＳ受信チップに、ＧＰＳ信号要求を送信するように構成されていることを第６の特徴とする。
【００１７】
本発明に係る探し物の所在位置確認システムは、携帯情報端末の表示部に、固有のＩＤ番号が付与された複数の携行品リストを表示させ、携帯情報端末からいずれか一の携行品を特定し、音モードを選択したときは、その固有ＩＤ番号に基づき当該一の携行品の音信号発生チップに、音信号要求を送信し、ＧＰＳモードを選択したときは、その固有ＩＤ番号に基づき当該一の携行品のＧＰＳ受信チップに、ＧＰＳ信号要求を送信するように構成されていることを第７の特徴とする。
【発明の効果】
【００１８】
以上説明したように、本発明に係る探し物の所在位置確認システムによれば、携行品に音信号発生チップを装着し、携帯通信端末から送信された音信号要求を前記携行品の音信号発生チップが受信し、音信号を発生させるようにしたことにより、携行品の所有者は、探し物の携行品の所在位置を容易に確認し、携行品を早期に発見できる。また、これにより、携行品の盗難を防ぐことができ、日常生活において携行品を置き忘れたり紛失したりしやすい特に高齢者にとって安心して日常生活をおくることができるという優れた効果を奏する。
【００１９】
また、本発明に係る探し物の所在位置確認システムによれば、携行品に音信号発生チップとＧＰＳ受信チップを装着し、携帯通信端末に音モードとＧＰＳモードを備え、音モードを選択したときは、携帯通信端末から送信された音信号要求を前記携行品の音信号発生チップが受信し、音信号を発生させ、ＧＰＳモードを選択したときは、携帯通信端末から送信されたＧＰＳ信号要求に基づきＧＰＳ受信チップがＧＰＳ衛星からの携行品の位置情報を受信して携帯通信端末に送信し、携帯通信端末の表示部に当該位置情報を表示させるようにしたことにより、自宅など近距離で携行品を探す場合、音モードを選択し、自宅外など遠隔地で携行品を探す場合、ＧＰＳモードを選択して、探す場所に適したモードを選択して、探し物の携行品の所在位置を容易に確認し、携行品の早期発見とシステムの使い勝手の向上を図ることができるという優れた効果を奏する。
【００２０】
さらに、本発明に係る探し物の所在位置確認システムは、大掛かりな設備を必要とせず、簡易なシステムで実現できるという優れた効果を奏する。
【図面の簡単な説明】
【００２１】
【図１】本発明に係る探し物の所在位置確認システムを用いて自宅内で携行品を探す様子を示す説明図、
【図２】本発明に係る携行品の所在位置確認システムを用いて遠隔地に置き忘れた携行品を探す様子を示す説明図、
【図３】携帯情報端末の表示部に表示される本システムの初期画面を示す図、
【図４】音モードまたはＧＰＳモードを選択するモード選択画面を示す図、
【図５】ＧＰＳモードを選択した場合の地図表示画面を示す図、
【図６】携帯情報端末における同システムのシステム構成を示す図である。
【発明を実施するための最良の形態】
【００２２】
本発明を実施するための最良の形態につき、図面を参照して説明する。図１ないし図６は本発明に係る探し物の所在位置確認システムの一実施形態を示している。図１および図２において、符号Ｓは探し物の所在位置確認システムである。
【００２３】
探し物の所在位置確認システムＳ（以下、本システムＳという）は、図１に示すように、携行品１０の一部に音信号発生チップ１１が装着されており、所有者が携帯情報端末１００からの遠隔操作によって音信号発生チップ１１から音信号を発生させ、これにより所有者が携行品１０の所在位置を忘れた場合でも携行品１０の所在位置を音信号により確認できるようになっている。なお、音信号発生チップ１１に光信号発生部を組み込み、音信号と同時に光信号を発生させ、視覚でも所在位置を確認できるようにしてよい。
【００２４】
また、本システムＳは、携行品１０の一部にＧＰＳ受信チップ１２が装着されており、図２に示すように、所有者が携帯情報端末１００からの遠隔操作によってＧＰＳ衛星１からのＧＰＳ信号による携行品１０の位置情報を携帯情報端末１００の表示部１０１に表示させ、これにより所有者が携行品１０を遠隔地で置き忘れた場合等でもその所在位置を画面で確認できるようになっている。
【００２５】
携帯情報端末１００の操作部１０２には、本システムＳを作動させるシステム作動釦１０３が設けられている。所有者が作動釦１０３を押し操作すると、本システムＳが作動し、携帯情報端末１００の表示部１０１に図３に示す初期画面Ｓ１が表示されるようになっている。初期画面Ｓ１には、「忘れ物はどれですか？」というメッセージとともに、所有者の携行品リスト１０４が表示されるようになっている。携行品リスト１０４には、例えば、携行品としてカギ１（玄関用）・カギ２（車用）・財布・メガネ・カード・免許証・定期券・名刺入れ・保険証・バッグなどが表示されている。携行品リスト１０４は追加表示可能とされている。携行品リスト１０４のうち、いずれか一を選択してタッチ操作すると、図４に示すモード選択画面Ｓ２に移行するようになっている。
【００２６】
図４に示すモード選択画面Ｓ２には、「忘れ物は○○です。」というメッセージとともに、「音」モードと「ＧＰＳ」モードのモード選択部１０５が設けられている。所有者は「音」または「ＧＰＳ」のいずれかのモードを選択することができ、例えば初期画面Ｓ１で選択した携行品１０について、自宅内での所在位置が分からなくなった場合には「音」モードを選択し、自宅外に置き忘れた場合には「ＧＰＳ」モードを選択する等して使い分けすることができる。携行品１０が自宅内にあるのか自宅外に置き忘れたのか不明である場合には「ＧＰＳ」モードで所在位置を確認できる。
【００２７】
所有者が「音」モードを選択してタッチ操作すると、携帯情報端末１００に内蔵された無線送受信部１１４から音信号要求が任意または特定の範囲（例えば９０度範囲あるいは３６０度範囲）に送信され、携行品１０に装着された音信号発生チップ１１が音信号要求を受信すると、音信号を発生する。これにより携行品１０の所在位置方面からの音信号および光信号を聴覚および視覚で認識した所有者が携行品１０の所在位置を容易に確認できる。したがって、自宅から出掛ける前の慌しい時間であっても、自宅内で所在位置不明な携行品をすぐに発見できる。音信号要求の受信可能距離は、後述するように携帯情報端末１００の音モード設定部１１２の設定により例えば自宅内に制限可能である。
【００２８】
所有者が「ＧＰＳ」モードを選択してタッチ操作すると、携帯情報端末１００に内蔵された無線送受信部１１４からＧＰＳ信号要求が送信されるようになっている。そして、携行品１０に装着されたＧＰＳ受信チップ１２がＧＰＳ信号要求を受信すると、ＧＰＳ衛星１にＧＰＳ信号要求を送信し、ＧＰＳ衛星１から携行品１０の位置情報（緯度・経度・高度）を受信し、同位置情報を携帯情報端末１００に送信するようになっている。これにより、携帯情報端末１００の、図５に示す表示部１０１の地図表示画面Ｓ３の地図表示部１０６に携行品１０の位置情報が表示され、所有者が携行品１０の所在位置を地図表示画面Ｓ３上で確認することができる。
【００２９】
したがって、所有者は携行品１０の所在位置に応じて携行品１０を安全に確保すべく対応を取ることができる。例えば、携行品１０が出張先のホテルの客室内に置き忘れたと確認できたら、直ちにホテルのフロントに携帯情報端末１００から連絡を取って携行品１０を確保し、あるいは携行品１０が遠方の公園内に置き忘れたと確認できたら、直ちに契約しているサービス業者に携帯情報端末１００から連絡を取って急行してもらい携行品１０を確保することができる。この場合、ホテルの従業員やサービス業者が携行品１０を素早く発見しやすくするために現場に近づいたら所有者が携帯情報端末１００を操作して携行品１０に装着された音発生チップ１１から音を発生するようにしてよい。
【００３０】
図６は、携帯情報端末１００に内蔵されているシステム構成図を示している。図６に示すように、携帯情報端末１００には、本システムＳに関係するシステム構成として、データ格納部１１０と、データ処理部１１１と、音モード設定部１１２と、ＧＰＳモード設定部１１３と、無線送受信部１１４と、制御部１１５が設けられている。データ格納部１１０には、初期画面Ｓ１に表示される携行品リスト１０４に含まれる携行品データ１１６と、各携行品に対応する固有のＩＤ番号データ１１７と、プログラムデータ１１８等が格納されている。
【００３１】
音モード設定部１１２は、音モードの各種設定（音信号の種類と大きさ・音信号要求の受信範囲など）を行い、ＧＰＳモード設定部１１３は、ＧＰＳモードの各種設定（地図表示の形式、拡大縮小など）を行う。無線送受信部１１４は、制御部１１５からの制御信号に基づき、表示部１０１のタッチ操作に基づき、携行品１０の音信号発生チップ１１に対する音信号要求、ＧＰＳ受信チップ１２に対するＧＰＳ信号要求をそれぞれ送信し、また、ＧＰＳ受信チップ１２からの位置情報を受信する。各チップ１１，１２に対する送信範囲（指向性・無指向性）を設定することもできる。制御部１１５は、作動釦１０３の押圧操作による本システムの作動、各種プログラムの実行、データ処理部１１１のデータ演算処理を含め、システム全体を統括制御する。携行品データ１１６と固有Ｄ番号データ１１７はデータの追加・更新・削除が可能である。
【００３２】
音モード設定部１１２における設定として、音信号は“ピッ”という電子音やメロディー音、あるいは“○○はここです”という音声ガイダンス信号を設定してよい。また、音信号要求の受信可能距離として、例えば半径５ｍ、１０ｍ、２０ｍと設定することができる。
【００３３】
携行品１０の音信号発生チップ１１およびＧＰＳ受信チップ１２には、携行品１０毎に固有のＩＤ番号データが格納されている。これにより、携帯情報端末１００のデータ格納部１１０に格納された携行品データ１１６と携行品１０毎の音信号発生チップ１１およびＧＰＳ受信チップ１２が１対１で対応している。
【００３４】
次に、以上のように構成された本システムＳの使用方法について、具体例を挙げながら以下に説明する。
（音モードの選択）
【００３５】
図１を参照して、財布１０が自宅のクローゼット２内の上着３の内ポケットにあるものと仮定し、自宅を出る前に財布（携行品）１０がなかなか見つからなかったとする（この場合、前日に帰宅した際に財布１０が自宅にあったことを記憶していると仮定する）。この場合、音モードを選択し、音信号で財布１０の所在位置を確認する。なお、財布１０が自宅内にあるか不明の場合、ＧＰＳモードを選択して、地図表示により財布１０の所在位置を確認し、自宅内に所在位置を確認できた場合は、音モードを選択し、音信号で財布１０の所在位置を特定する。最初に携帯情報端末１００のシステム作動釦１０３をクリックすると、携帯情報端末１００の表示部１０１に初期画面Ｓ１（図３）が表示される。そこで、携行品リスト１０４の中から“財布”を選択し、次のモード選択画面Ｓ２（図４）で音モードを選択する。
【００３６】
音モードを選択すると、携帯情報端末１００から固有のＩＤ番号に基づき財布１０の音信号発生チップ１１に音信号要求が送信され、音信号要求に基づき財布１０の音発生チップ１１が音信号を発生する。これにより所有者は直ちに財布１０の所在位置をしかも簡単に発見できる。これにより所有者は会社や会合に遅刻せずにあわてることなく自宅を出ることができる。
【００３７】
なお、別の携行品、例えばカギが自宅で見つからない場合も、携行品リストからカギを選択し、音モードを選択して、携帯情報端末１００から音信号要求を送信することにより、目的のカギに装着された音信号発生チップが音信号要求を受信して音信号を発生させるから、カギを容易に見付けることができる。このように携行品すべてに固有ＩＤ番号を付与した音信号発生チップを装着することにより、所在位置を忘れた携行品を容易に発見することができる。
（ＧＰＳモードの選択）
【００３８】
次に、図２を参照して、外出先で財布１０をバッグ１０’ごと、任意のお店４に置き忘れたと仮定する。この場合、ＧＰＳモードを選択し、ＧＰＳ信号による地図表示で財布１０の所在位置を確認する。まず、携帯情報端末１００のシステム作動釦１０３をクリックし、携帯情報端末１００の表示部１０１に表示された携行品リスト１０４（図３）の中から、“財布”を選択し、次のモード選択画面Ｓ２（図４）でＧＰＳモードを選択する。
【００３９】
ＧＰＳモードを選択すると、携帯情報端末１００から固有のＩＤ番号に基づき財布１０のＧＰＳ信号受信チップ１２にＧＰＳ信号要求が送信され、ＧＰＳ信号要求に基づき財布１０のＧＰＳ信号受信チップ１２がＧＰＳ衛星１にＧＰＳ信号要求を送信し、ＧＰＳ衛星１から財布１０の位置情報（緯度・経度・高度）を受信し、同位置情報を携帯情報端末１００に送信する。送信された財布１０の位置情報は、携帯情報端末１００の表示部１０１に表示された地図表示部１０６中の地図に表示されるから、所有者は直ちに財布１０の所在位置（お店４の所在位置）を確認し、次の必要な行動を取ることができる。
【００４０】
お店４の所在位置がすぐ近くであれば、所有者がお店４に急行し、財布１０をバッグ１０’ごと確保できるし、お店４の所在位置が遠方であれば、携帯情報端末１００からお店４に連絡を入れ、財布１０をバッグ１０’ごと確保してもらうことができる。お店４に連絡を入れても、店内におけるバッグの所在が分からない場合には、お店４側の探索中に音モードを選択して音信号を発生させ、お店側によるバッグの探索を補助することができる。
【００４１】
かくして、本発明に係る探し物の所在位置確認システムＳを用いることにより、携行品の所在位置を忘れたり置き忘れたり紛失した場合、携行品の所有者はその所在位置を容易に確認し、携行品を早期に発見することができる。また、これにより、置き忘れ品や紛失物の盗難を防ぐことができ、特に日常生活において携行品を置き忘れたり紛失したりしやすい高齢者にとって安心して日常生活をおくることができる。
【００４２】
また、本発明に係る探し物の所在位置確認システムＳは、大掛かりな設備を必要とせず、簡易なシステムで実現することができ、これからの高齢者社会にとって、非常に利便性の高いシステムを提供することができる。
【産業上の利用可能性】
【００４３】
本発明に係る本発明に係る探し物の所在位置確認システムは、鍵・財布・メガネ・カード等の携行品について、自宅内や自宅外において、所有者が所在位置を忘れたり置き忘れたり紛失した場合に、所在位置を容易に確認して、早期発見を図ることのできるシステムとして、広く利用可能である。
【符号の説明】
【００４４】
１  ＧＰＳ衛星
２  クローゼット
３  上着
４  お店
１０  携行品
１１  音信号発生チップ
１２  ＧＰＳ受信チップ
１００  携帯情報端末
１０１  表示部
１０２  操作部
１０３  システム作動釦
１０４  携行品リスト
１０５  モード選択部
１０６  地図表示部
１１０  データ格納部
１１１  データ処理部
１１２  音モード設定部
１１３  ＧＰＳ設定部
１１４  無線送受信部
１１５  制御部
１１６  携行品データ
１１７  ＩＤ番号データ
１１８  プログラムデータ
Ｓ  探し物の所在位置確認システム
Ｓ１  初期画面
Ｓ２  モード選択画面
Ｓ３  地図表示画面
【図１】
2013069028.tif 000003
【図２】
2013069028.tif 000004
【図３】
2013069028.tif 000005
【図４】
2013069028.tif 000006
【図５】
2013069028.tif 000007
【図６】
2013069028.tif 000008